(57)【要約】【課題】  原稿を原稿台ガラス上で安定させるための補助部材を設け、補助部材で原稿を抑えつつ圧板を閉じて原稿台ガラスに原稿を押し付ける装置では、補助部材の影響によって良好な画像データを得ることが困難であった。【解決手段】  原稿圧着部は、原稿に直接接触する伸縮性を有する押圧シートと、シートを保持する保持部材とから構成される。保持部材は圧板を閉じたときに固定部材を避けるための切り欠き部を有する、押圧シートは保持部材の切り欠き部を含んで保持部材を覆うように設けられている。【選択図】  図１
2012141398.tif 000002
【特許請求の範囲】
【請求項１】
原稿が載置される原稿台ガラスと、
前記原稿台ガラス上に載置された原稿の画像を読み取る画像読取部と、
前記原稿台ガラス上に載置された原稿の一部を押える固定部材と、
前記固定部材によって押さえられた前記原稿台ガラス上の原稿を、前記原稿台ガラスに対し押圧するための原稿圧着部と、を有し、
前記原稿圧着部は原稿に接触する伸縮性を有する押圧シートと、前記押圧シートを保持する保持部材とを備え、
前記原稿台ガラス上の原稿の一部を押えた前記固定部材の位置に対応した切り欠き部を前記保持部材は有し、前記押圧シートは前記保持部材の切り欠き部を覆うように設けられていることを特徴とする画像読取装置。
【請求項２】
前記押圧シートは、前記保持部材の切り欠き部を含んで前記保持部材の全面を覆うことを特徴とする請求項１に記載の画像読取装置。
【請求項３】
前記押圧シートは、前記保持部材の切り欠き部を含んで前記保持部材を部分的に覆うことを特徴とする請求項１に記載の画像読取装置。
【請求項４】
前記固定部材と前記押圧シートの原稿に接触する面の色が同等となっていることを特徴とする請求項１乃至３のいずれかに記載の画像読取装置。
【発明の詳細な説明】
【技術分野】
【０００１】
本発明は原稿の画像を読み取る画像読取装置に関する。
【背景技術】
【０００２】
原稿を安定した状態でコンタクトガラスにセットできるようにするために、補助部材を設けた構成ある（特許文献１参照）。即ち、補助部材で原稿の一部を押さえてコンタクトガラス上で原稿が移動しないように安定させてから、原稿全体を覆う圧板を閉じてコンタクトガラスに原稿を押し付ける。
【先行技術文献】
【特許文献】
【０００３】
【特許文献１】特開平１０−２８５３５２号公報
【発明の概要】
【発明が解決しようとする課題】
【０００４】
原稿をコンタクトガラス上で安定させるための補助部材を設け、補助部材で原稿を押さえてから圧板を閉じる構成では、補助部材の使用時、補助部材の周辺では圧板が原稿を押さえられない。したがって、補助部材の周辺はコンタクトガラスから原稿が浮き上がり、読み取った画像が不鮮明になるという問題があった。
【０００５】
また、補助部材と圧板が互いに干渉しあわずに原稿を押し付けられるように補助部材と圧板が重なる部分において圧板を切り欠くように構成することが考えられる。しかしながら、このように構成しようとした場合には以下の問題がある。即ち、補助部材を使用しないときに切り欠き部分の原稿を抑えられなくなったり、補助部材と圧板との間の隙間の部分が黒いスジとして読み取られたりして、正確な画像が得られなくなるという問題があった。
【課題を解決するための手段】
【０００６】
以上の課題を解決するために、本発明の画像読取装置は、原稿が載置される原稿台ガラスと、前記原稿台ガラス上に載置された原稿の画像を読み取る画像読取部と、前記原稿台ガラス上に載置された原稿の一部を押える固定部材と、前記固定部材によって押さえられた前記原稿台ガラス上の原稿を、前記原稿台ガラスに対し押圧するための原稿圧着部と、を有し、前記原稿圧着部は原稿に接触する伸縮性を有する押圧シートと、前記押圧シートを保持する保持部材とを備え、前記原稿台ガラス上の原稿の一部を押えた前記固定部材の位置に対応した切り欠き部を前記保持部材は有し、前記押圧シートは前記保持部材の切り欠き部を覆うように設けられている。
【発明の効果】
【０００７】
本発明によれば、固定部材で原稿を固定した場合も、固定部材で原稿を固定しなかった場合であっても、正確な画像が得ることができる。
【図面の簡単な説明】
【０００８】
【図１】本発明における第１の実施の形態を説明する図。
【図２】原稿圧着板の構成を示す断面図。
【図３】原稿圧着板の構成を示す図。
【図４】原稿圧着板と補助固定部材の関係を示す図。
【図５】圧板本体に自動原稿搬送装置を設けた形態を説明する図。
【発明を実施するための形態】
【０００９】
図１乃至図４を用いて本発明に係る画像読取装置の実施の形態について説明する。
図１は本発明に係る画像読取装置の概略構成を示す図である。図１において、１０１は画像読取装置本体、１０２は、画像読取装置本体１０１の上面に設けられ、原稿が載置される原稿台ガラス、１０３は原稿台ガラスに載置する原稿の突き当て位置を示す突き当て板である。画像読取装置本体１０１の内部には読取センサが配置され、読取センサは原稿台ガラス１０２に載置された原稿の画像を読み取る。
【００１０】
１０４は原稿を原稿台ガラス１０２に押し付けるために画像読取装置本体１０１に対し回動可能な圧板本体、１０５は、圧板本体１０５に取り付けられ、直接原稿に接触して押し付ける原稿圧着部である。１０６は圧板本体１０４を画像読取装置本体１０１に回動可能に取り付けるヒンジ部である。
【００１１】
１０７は原稿Ｓが原稿台ガラス１０２上で動かないように仮固定する、固定部材としての補助固定板、１０８は補助固定板１０７を回動させる回動軸である。
【００１２】
補助固定板１０７は、回動軸１０８を中心として回動自在に画像読取装置本体１０１に取り付けられている。そして補助固定板１０７は、原稿台ガラス１０３上に出して原稿台ガラス１０３の原稿を押えるときの位置（図１の破線で示した位置）と、原稿台ガラス１０３から退避した位置（図１の実線で示した位置）に移動することが可能となっており、補助固定板１０７の原稿に接触する面は白色となっている。
【００１３】
図２には圧板本体１０４および原稿圧着部１０５を図１におけるＡ−Ａで切断した断面図を示す。
【００１４】
図２において、２０１は直接原稿に接触する押圧シートであって、伸縮性を有する。押圧シート２０１における原稿に接触する面は補助固定板１０７の原稿接触面と同じ白色で、同等の反射率となっている。押圧シート２０１の材質は、伸縮性を有するゴムシートである。２０２は、押圧シート２０１を保持する板状部材である。押圧シート２０１と、押圧シート２０１を保持する保持部材としての板状部材２０２とによって、原稿圧着部１０５が構成されている。
【００１５】
２０３は板状部材２０２と圧板本体１０４をつなぐ接合部材であって、スポンジのような弾性を有する材質からなる。接合部材２０３を、弾性を有する材質で形成することにより、原稿台ガラス１０２上に本や雑誌のような厚みのあるものを載置した際にも、接合部材２０３の弾性でそれらを確実に原稿台ガラス１０２に対して押し付けることができる。
【００１６】
図３は原稿圧着部１０５を構成する押圧シート２０１および板状部材２０２のそれぞれの形状を説明するための斜視図である。図３において、板状部材２０２は切り欠き部３０１を有している。この切り欠き部３０１の位置は、図１に示した補助固定板１０７で原稿を仮固定した状態で原稿圧着板１０５を閉じた際、補助固定板１０７に対応する位置である。板状部材２０２に切り欠き部３０１が形成されていることで、補助固定板１０７を板状部材２０２が避けられるようになっている。押圧シート２０１は、板状部材２０２の切り欠き部３０１を含んで、板状部材２０２の全面を一様に覆うように板状部材２０２に貼り付けられている。
【００１７】
このような構成で、原稿の画像を読み取る際には、原稿台ガラス１０３に原稿Ｓを載せる。原稿がカールしていたり、原稿が薄くて圧板を閉じた際に風圧で移動してしまったりする場合は、補助固定板１０７を回動させ、図１における破線の状態にして原稿を仮固定する。つまり、圧板本体１０４に取り付けられた原稿圧着部１０５によって原稿の上面を押さえるのに先立って、補助固定板１０７によって、原稿を原稿台ガラス１０２に固定する。
【００１８】
続いて圧板本体１０４を回動させて原稿圧着部１０５で原稿を原稿台ガラス１０３に対し押さえつける。原稿圧着部１０５は、図２や図３を用いて既に説明したように、補助固定板１０７を避ける切り欠き部３０１を有した板状部材２０２と、板状部材２０２における原稿台ガラス２０２に対向する側に貼り付けた、伸縮性を有する押圧シート２０１から構成されている。したがって、補助固定板１０７が原稿台ガラス１０３上にある状態で圧板本体１０４を閉じると以下のように作用する。図４の断面図に示すように、補助固定板１０７は板状部材２０２の切り欠き部３０１に入り込むとともに、押圧シート２０１は補助固定板１０７の厚さの分、補助固定板１０７に押されて伸び、原稿の全域を押圧シート２０１および補助固定板１０７でほぼ隙間なく押さえることが可能となる。この状態で画像読取装置本体１０１内の読取センサが、原稿に描かれた画像を走査し、画象データを得る。補助固定板１０７と押圧シート２０１の原稿接触面は同じ色（本実施形態では白色）となっているから、補助固定板１０７と押圧シート２０１の継ぎ目が画像に写ることなく、良好な画像が得られる。
【００１９】
なお、図４に示したように補助固定板１０７の端部にテーパ面１０７ａに形成しておくことで、原稿が押さえられる領域が全域に近くなる。つまり、押圧シート２０１および補助固定板１０７によって、より隙間なく、原稿を押えることができる。
【００２０】
ここで、補助固定板１０７を用いない場合、即ち、補助固定板１０７を原稿台ガラス１０３から退避した位置（図１の実線で示した位置）に位置させたまま、原稿を押さえるために圧板本体１０４を閉じた場合には以下のように作用する。押圧シート２０１は板状部材２０２に貼り付けられて略平面形状となっているので、原稿圧着部１０５の押圧シート２０１は、原稿の上面の全域を原稿台ガラス１０２に対して押さえつけることが可能である。
【００２１】
補助固定板１０７および押圧シート２０１の原稿に接触する面の色は白色ではなく他の色、例えば黒色や銀色とすることもできる。その際もそれぞれの原稿に接触する面の色および反射率を同等にすることにより、継ぎ目が画像に写ることなく、良好な画像を得ることができる。
【００２２】
本実施形態によれば、以下の効果を奏する。
【００２３】
補助固定板１０７の周辺で原稿圧着部１０５が原稿を押さえられずに原稿台ガラス１０２から原稿が浮き上がり読み取った画像が不鮮明になるのを緩和することが可能となる。押圧シート２０１が補助固定板１０７の厚さの分、補助固定板１０７に押されて伸び、原稿Ｓの全域を押圧シート２０１および補助固定板１０７でほぼ隙間なく押さえるからである。また、補助固定板１０７に対応した位置に板状部材２０２の切り欠き部３０１を設けているものの、切り欠き部３０１を押圧シート２０１が覆うので精確な画像をえることができる。
【００２４】
なお、本実施形態では補助固定板１０７が回動軸１０８を中心に回動して原稿台ガラス上に出したり退避させたりさせる構成について説明したが、補助固定板を装置の奥手前方向にスライドさせるような方法や、画像読取装置本体１０１に対して着脱可能にするような方法を採用してもよい。そのような際にも原稿圧着板を上記の実施形態で説明した構成にすることにより、同様の効果を得ることが可能である。
【００２５】
また、押圧シート２０１が、板状部材２０２の切り欠き部３０１を含んで、板状部材２０２の全面を一様に覆うように板状部材２０２に貼り付けられている形態を例示して説明した。しかし、押圧シートが、板状部材２０２の切り欠き部３０１を含んで、板状部材２０２を部分的に覆うように、板状部材２０２に押圧シートを設けてもよい。板状部材２０２を部分的に覆うように押圧シートを板状部材２０２に設けた場合には、板状部材２０２における押圧シートで覆われない部分を、補助固定板１０７や押圧シートと反射率を同等にするのが好ましい。
【００２６】
なお、図５に示すように、原稿を搬送する自動原稿搬送部を配置するように構成してもよい。図５において、５０３は、圧板本体５０４に設けられた自動原稿搬送装置である。自動原稿搬送装置５０３は、画像読取装置本体１０１の上面であって原稿台ガラス１０２と並ぶように設けられた流し読みガラス１０１３の上面へ原稿を搬送する。自動原稿搬送装置５０３によって搬送された原稿の画像を画像読取装置本体１０１の読取センサが読み取る。
【符号の説明】
【００２７】
１０１  画像読取装置本体
１０２  原稿台ガラス
１０４  圧板本体
１０５  原稿圧着板部
１０７  補助固定部材
２０１  押圧シート
２０２板状部材
２０３  接合部材
３０１  切り欠き
【図１】
2012141398.tif 000003
【図２】
2012141398.tif 000004
【図３】
2012141398.tif 000005
【図４】
2012141398.tif 000006
【図５】
2012141398.tif 000007